(57)【要約】      （修正有）【課題】会議などで資料などをパネルで投影しながらも、書き込み・消去可能なプレート（ホワイトボード）としても使用できるようにした投影用パネルを提供する。【解決手段】本考案の書き込み・消去可能なプレート（ホワイトボード）として使用できる投影用パネルは、少なくともガラス製の外表面への書き込み・消去可能な外部プレート１０と、該外部プレート１０の一側に粘着される白色フィルム２０とを有する構成とする。【選択図】図１
0003125453.tif 000002
【実用新案登録請求の範囲】
【請求項１】
少なくともガラス製の書き込み・消去可能な外部プレートと、該外部プレートの一側に粘着される白色フィルムとを有することを特徴とする投影用パネル。
【請求項２】
前記書き込み・消去可能な外部プレートに対して白色フィルムの反対側にガラス製の書き込み・消去可能な内部プレートが設けられることを特徴とする請求項１に記載の投影用パネル。
【請求項３】
前記書き込み・消去可能な外部プレートに対して白色フィルムの反対側に保護フィルムが設けられることを特徴とする請求項１に記載の投影用パネル。
【請求項４】
前記書き込み・消去可能な外部プレートと白色フィルムとの間に粘着層が設けられることを特徴とする請求項１に記載の投影用パネル。
【請求項５】
前記書き込み・消去可能な外部プレートと白色フィルムとの間に粘着層が設けられることを特徴とする請求項２に記載の投影用パネル。
【請求項６】
前記書き込み・消去可能な内部プレートと白色フィルムとの間に粘着層が設けられることを特徴とする請求項２に記載の投影用パネル。
【請求項７】
前記書き込み・消去可能な外部プレートと白色フィルムとの間に粘着層が設けられることを特徴とする請求項３に記載の投影用パネル。
【考案の詳細な説明】
【技術分野】
【０００１】
本考案は、特に、書き込み・消去可能なプレート（ホワイトボード）として使用できる投影用パネルに関するものである。
【背景技術】
【０００２】
従来の投影用パネルは、不織布からなる一枚の布地からなるものが使用されている。一般に会議或いはセミナーにおいて、資料やデータを開示・報告する場合、使用者は、投影機で投影用パネルに前記資料やデータを投影することにより参加者に展示することができる。
【０００３】
又、セミナー或いは資料やデータを開示・報告する場合、使用者が自分の意見や見解をホワイトボードに書き出してもよいが、この場合、会議室にホワイトボードを用意しなければならない。
【考案の開示】
【考案が解決しようとする課題】
【０００４】
しかしながら、前記投影用パネルとホワイトボードは、夫々独立のものであり、使用者は資料やデータを展示しながら、同時に意見や見解を書き出そうとする場合、投影用パネルとホワイトボードをそれぞれに用意しなければならないので、非常に不便である。
【０００５】
そこで、案出されたのが本考案であって、書き込み・消去可能なプレート（ホワイトボード）として使用できる投影用パネルを提供することを目的としている。
【課題を解決するための手段】
【０００６】
本願の請求項１の考案は、少なくともガラス製の外表面部への書き込み及び消去が可能な外部プレートと、前記外部プレートの一側に粘着される白色フィルムとを有することを特徴とする投影用パネルを提供する。
【０００７】
本願の請求項２の考案は、前記書き込み及び消去が可能な外部プレートに対して白色フィルムの反対側にガラス製の表面部への書き込み及び消去が可能な内部プレートが設けられることを特徴とする請求項１に記載の投影用パネルを提供する。
【０００８】
本願の請求項３の考案は、前記書き込み及び消去が可能な外部プレートに対して白色フィルムの反対側に保護フィルムが設けられることを特徴とする請求項１に記載の投影用パネルを提供する。
【０００９】
本願の請求項４の考案は、前記書き込み及び消去が可能な外部プレートと白色フィルムとの間に粘着層が設けられることを特徴とする請求項１に記載の投影用パネルを提供する。
【００１０】
本願の請求項５の考案は、前記書き込み及び消去が可能な外部プレートと白色フィルムとの間に粘着層が設けられることを特徴とする請求項２に記載の投影用パネルを提供する。
【００１１】
本願の請求項６の考案は、前記表面部への書き込み及び消去が可能な内部プレートと白色フィルムとの間に粘着層が設けられることを特徴とする請求項２に記載の投影用パネルを提供する。
【００１２】
本願の請求項７の考案は、前記書き込み及び消去が可能な外部プレートと白色フィルムとの間に粘着層が設けられることを特徴とする請求項３に記載の投影用パネルを提供する。
【考案の効果】
【００１３】
本考案は上記の課題を解決するものであり、少なくともガラス製の外表面部への書き込み及び消去が可能な外部プレートと、該外部プレートの一側に粘着される白色フィルムとを有することにより、ホワイトボードとしても使用することが可能な投影用パネルを提供することができる。
【考案を実施するための最良の形態】
【００１４】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【実施例１】
【００１５】
図１は本考案に係る投影用パネルの第１実施例を示す断面図であり、図２は本考案に係る投影用パネルの使用状態を示す参考図である。
【００１６】
図１に示すように、本考案に係る投影用パネルの第１実施例は、外表面部への書き込み・消去可能な外部プレート１０と、白色フィルム２０と、表面部への書き込み・消去可能な内部プレート３０とを有し、前記書き込み・消去可能な外部プレート１０の一側が白色フィルム２０の一側と粘着され、該白色フィルム２０の他側が書き込み・消去可能な内部プレート３０と粘着される。
【００１７】
前記書き込み・消去可能な外部プレート２０と書き込み・消去可能な内部プレート３０は強化ガラスや乱反射防止ガラスや反射防止ガラスなど書き込み・消去可能な効果を有するガラスからなる。
また、前記書き込み・消去可能な外部プレート１０と白色フィルム２０との間に、また、該白色フィルム２０と書き込み・消去可能な内部プレート３０との間に夫々粘着層１１３１が設けられることにより、書き込み・消去可能な外部プレート１０と白色フィルム２０と書き込み・消去可能な内部プレート３０を夫々粘着させる。
また、前記粘着層１１３１は、エチレン酢ビコポリマーＥＶＡなど粘着効果を有するものからなる。
【００１８】
図１及び図２に示すように、本考案に係る投影用パネルの第１実施例を使用する際、使用者は書き込み・消去可能な外部プレート１０又は書き込み・消去可能な内部レート３０に意見や見解を書き込むことができ、該書き込み・消去可能な外部プレート１０と書き込み・消去可能な内部プレート３０は書き込み・消去可能なガラスからなるので、清掃がしやすい効果を有し、又、資料やデータを展示しようとする際、投影機４０からの映像が書き込み・消去可能な外部プレート１０又は内部プレート３０を透過しながら、白色フィルム２０に投影することにより、該白色フィルム２０で資料やデータを展示することができる。
【００１９】
本考案に係る投影用パネルの第１実施例は、両側に夫々書き込み・消去可能な外部プレート１０と書き込み・消去可能な内部プレート３０が設けられるので、該投影用パネルを二つの部屋の仕切り壁として使用する際、この二つの部屋が会議室として使用することができる。
【実施例２】
【００２０】
図３は本考案に係る投影用パネルの第２実施例を示す断面図である。
図３に示すように、本考案に係る投影用パネルの第２実施例は、書き込み・消去可能な外部プレート５０と、外部プレート５０の一側が白色フィルム６０の一側と粘着し、該白色フィルム６０の他側が保護フィルム７０と粘着し、該外部プレート５０と白色フィルム６０との間に粘着層５１が設けられる。前記保護フィルム７０が設けられることにより、白色フィルム６０を保護することができる。
【産業上の利用可能性】
【００２１】
本考案は上記の構成を有するので、少なくともガラス製の外表面への書き込み・消去可能な外部プレートと、該外部プレートの一側に粘着される白色フィルムとを有することにより、ホワイトボードとして使用することが可能な投影用パネルを提供することができる。
【図面の簡単な説明】
【００２２】
【図１】本考案に係る投影用パネルの第１実施例を示す断面図である。
【図２】本考案に係る投影用パネルの使用状態を示す参考図である。
【図３】本考案に係る投影用パネルの第２実施例を示す断面図である。
【符号の説明】
【００２３】
１０        書き込み・消去可能な外部プレート
１１        粘着層
２０        白色フィルム
３０        書き込み・消去可能な内部プレート
３１        粘着層
４０        投影機
５０        書き込み・消去可能な外部プレート
５１        粘着層
６０        白色フィルム
７０        保護フィルム
【図１】
0003125453.tif 000003
【図２】
0003125453.tif 000004
【図３】
0003125453.tif 000005